(57)【要約】【課題】  患者が寝ている可能性が高い夜間などの時間帯に、コードがベッド上にできるだけ存在しないようにコードを巻き取るようにしつつ、コードを巻き取るために使用されるモーターが空回りしないようにする。【解決手段】  操作ユニット２の筐体のコード３を収納する面と略同一面上にコード３の巻き取りを停止するために操作させる停止操作部９を備える。操作ユニット２が操作される可能性の低くなる時刻になった場合に、モーター７を駆動させ、モーター７によって動作するコード収納部８はコード３を巻き取る。その状態で停止操作部９が操作されると、モーター７の駆動を停止し、コード収納部８がコード３の巻き取りを停止する。その際、操作ユニット２側でコード３を巻き取るので、操作ユニット２の筐体が障害物にぶつかるまでコード３を巻き取ることができ、モーター７の空回りを防止することができる。【選択図】        図２
2011110347.tif 000002
【特許請求の範囲】
【請求項１】
患者が呼び出し操作を行うときに使用する操作ユニットおよび前記操作ユニットを所定の位置に接続するためのコードを備えたナースコール子機と、前記患者が呼び出し操作を行ったときに前記患者からの呼び出しを報知するナースコール親機とを有するナースコールシステムであって、
前記ナースコール親機は、
前記患者が前記操作ユニットを使用する可能性が低い時間帯となる時刻を示す時刻情報を設定して記憶する時刻設定部と、
現在時刻を示す現在時刻情報を取得し、取得した現在時刻情報が前記時刻設定部に記憶されている時刻情報になった場合に、駆動信号を生成する親機用制御部と、
前記親機用制御部にて生成した駆動信号を前記ナースコール子機へ出力する親機用インターフェース部とを備え、
前記ナースコール子機は、
前記操作ユニットの筐体における前記コードが露出した面と略同一面上に設けられ、押圧力により操作される停止操作部と、
前記筐体内に前記コードを巻き取るためのコード収納部と、
前記コード収納部を動作させるモーターと、
前記駆動信号を入力するインターフェース部と、
前記インターフェース部が前記駆動信号を入力した場合に、前記モーターを駆動させるとともに、その状態で前記停止操作部が操作された場合に、前記モーターの駆動を停止する制御部とを備えたことを特徴とするナースコールシステム。
【発明の詳細な説明】
【技術分野】
【０００１】
本発明は、病院などで患者からの要求に応じて医師や看護師などの医療従事者を呼び出すナースコールシステムに関する。
【背景技術】
【０００２】
従来、病院などでは、ナースコールシステムが用いられている。ナースコールシステムは、病室内の患者の近辺（例えば、ベッド近傍など）などに設置されたナースコール子機および医療従事者の居る部屋（例えば、スタッフルームなど）に設置されたナースコール親機を有線などにより接続して構成されている。また、ナースコール子機およびナースコール親機は、廊下灯や制御機などを介して接続されている。さらに、医療従事者が携行している携帯通信端末（例えば、ＰＨＳ（Ｐｅｒｓｏｎａｌ  Ｈａｎｄｙｐｈｏｎｅ  Ｓｙｓｔｅｍ）やコードレス電話など）は、無線を介してナースコール親機に接続されている。そして、患者によりナースコール子機が操作されると、ナースコール親機や携帯通信端末は、自装置に設けられた報知部を動作させて、スピーカから呼び出し音を出力させたり、表示ディスプレイなどに呼び出し表示を行わせたりして、呼び出しを報知している。医療従事者は、呼び出し音を聞いたり、呼び出し表示を見たりして、患者からの呼び出しを把握する。
【０００３】
また、ナースコール子機は、ベッドサイドの壁面に設置されているウォールユニットに接続されている。また、ナースコール子機は、患者が操作するための操作ボタンを備えた操作ユニットと、操作ユニットおよびウォールユニットを接続するためのコードとを備えて構成されている。ウォールユニットは、コードを接続するためのコンセントを備えている。コードは、操作ボタンの操作をウォールユニットへ伝達しており、患者がベッド上の様々な場所で操作ユニットを操作することができるようにある程度の長さを有している。
【０００４】
ところで、患者がベッド上で操作ユニットを操作することができるようにするためには、操作ユニットを患者の手元付近に置く必要がある。しかしながら、操作ユニットを患者の手元付近に置くと、操作ユニットおよびウォールユニットを接続するコードがベッド上に存在することになるため、コードが患者に絡み付いてしまうことがあった。そのため、日中などの患者が寝ている可能性が低い時間帯では、操作ユニットが操作される可能性が高いことから、医療従事者は、患者が操作し易いように、患者の手元付近に操作ユニットを置き、夜間などの患者が寝ている可能性が高い時間帯では、操作ユニットが操作される可能性が低いことから、医療従事者は、ウォールユニット付近やベッドの柵などに設置されたハンガーなどに操作ユニットを吊るすことが多かった。これにより、夜間などの時間帯では、操作ユニットおよびウォールユニットを接続するコードがベッド上に存在しないようにすることができる。しかしながら、この従来技術では、夜間になると、医療従事者が操作ユニットをハンガーに吊るさなければならないため、医療従事者に負担がかかり、医療従事者の業務効率を低下させてしまうという問題があった。
【０００５】
ところで、移動体通信端末内にコードを自動的に収納する技術が知られている（例えば、特許文献１など）。特許文献１に記載の移動体通信端末は、本体ユニットと、その本体ユニットに着脱可能な受話スピーカ部とを備えている。また、本体ユニットと受話スピーカ部とはコードを介して接続されている。また、本体ユニットは、自装置内にコードを巻き取るモーターを内蔵している。そして、本体ユニットに設けたスイッチが操作されると、モーターが駆動してコードの巻き取りを開始する。これにより、移動体通信端末を使用する使用者は、本体ユニットに設けたスイッチを操作するだけで、本体ユニット内にコードを収納させることができる。
【０００６】
また、夜になるとナースコール子機に設けた発光体を発光させる技術も知られている（例えば、特許文献２など）。特許文献２に記載のナースコールシステムでは、予め設定した夜間時刻になると、ナースコール親機は、ナースコール子機の筐体内に設けた発光体を自動的に発光させるようにしている。これにより、医療従事者がナースコール子機の設置されている病室に行かなくても、ナースコール子機の筐体内に設けた発光体を発光させることができる。
【０００７】
このような、特許文献１に記載の技術をナースコール子機に適用し、特許文献２に記載の技術をナースコールシステムに適用すると、予め設定した夜間時刻になった場合に、ナースコール親機は、ウォールユニットに内蔵したモーターを駆動させて、操作ユニットおよびウォールユニットを接続するコードを巻き取り、操作ユニットをウォールユニットのコンセントの近傍に移動させることができる。これにより、夜間などの時間帯に、操作ユニットおよびウォールユニットを接続するコードがベッド上に存在しないようにすることができる。
【０００８】
しかしながら、この従来技術では、夜間時刻になった場合に、ベッド上に存在するコード上に患者が乗るなどして、コードが巻き取れないときには、モーターが空回りする状態となり、その状態が継続すると、モーターが異常発熱などを起こして故障するケースが生じてしまうという問題があった。
【先行技術文献】
【特許文献】
【０００９】
【特許文献１】特開２００１−２５７７５３号公報
【特許文献２】特開２００９−２６８４８７号公報
【発明の概要】
【発明が解決しようとする課題】
【００１０】
本発明は、このような問題を解決するために成されたものであり、患者が寝ている可能性が高い夜間などの時間帯に、ナースコール子機の操作ユニットおよびウォールユニットの間のコードがベッド上にできるだけ存在しないようにコードを巻き取るようにしつつ、コードを巻き取るために使用されるモーターが空回りしないようにすることを目的とする。
【課題を解決するための手段】
【００１１】
上述した課題を解決するために、本発明のナースコールシステムでは、ナースコール子機の操作ユニットは、コードを筐体内に巻き取るためのモーターと、筐体のコードを収容する部分と略同一面上にモーターの駆動を停止するために操作される停止操作部とを備え、コードを巻き取った際に操作ユニットの筐体の停止操作部に当接する当接部と、コードを接続するコンセントの近傍に備えている。また、ナースコール親機は、コードを収容する時間帯になった場合に、ナースコール子機の操作ユニットに設けたモーターを駆動させるようにしている。そして、モーターが駆動している状態で停止操作部が操作された場合に、ナースコール子機は、モーターの駆動を停止させるようにしている。
【発明の効果】
【００１２】
上記のように構成した本発明によれば、患者が寝ている可能性が高い夜間などの時間帯に、ナースコール子機の操作ユニットおよびウォールユニットの間のコードを巻き取る際に、操作ユニット側でコードを巻き取っているので、コード上に患者などが乗った場合でも、操作ユニットの筐体が患者などにぶつかるまでコードを巻き取ることができる。従って、ナースコール子機の操作ユニットおよびウォールユニットの間のコードがベッド上にできるだけ存在しないようにコードを巻き取ることができる。また、コード上に患者が乗った場合には、コードを巻き取ることによって移動した操作ユニットの筐体が患者などにぶつかり、ぶつかった面に設けられた停止操作部が操作され、モーターが停止するので、コードを巻き取るために使用されるモーターが空回りしないようにすることができる。また、コードが巻き取られて、操作ユニットの筐体がウォールユニットのコンセントの近傍まで移動した場合には、コンセントの近傍の当接部によって停止操作部が操作され、モーターが停止するので、コードを巻き取るために使用されるモーターが空回りしないようにすることができる。
【図面の簡単な説明】
【００１３】
【図１】本実施形態によるナースコールシステムの構成例を示すブロック図である。
【図２】本実施形態によるナースコール子機の外観例を示す説明図である。
【図３】本実施形態によるナースコール子機の状態例を示す説明図（その１）である。
【図４】本実施形態によるナースコール子機の状態例を示す説明図（その２）である。
【発明を実施するための形態】
【００１４】
以下、本発明の一実施形態を図面に基づいて説明する。本実施形態によるナースコールシステムの構成例を示すブロック図を図１に示す。同図に示すように、本実施形態によるナースコールシステムは、ナースコール子機１、ナースコール親機１０を備えて構成されている。
【００１５】
また、ナースコール子機１は、操作ユニット２、コード３、プラグ（特許請求の範囲の当接部に該当する）４を備えて構成されている。また、操作ユニット２は、制御部５、インターフェース（以下、Ｉ／Ｆとする）部６、モーター７、コード収納部８、停止操作部９を備えて構成されている。また、ナースコール親機１０は、親機用制御部１１、親機用インターフェース（以下、Ｉ／Ｆとする）部１２、時刻設定部１３を備えて構成されている。
【００１６】
図１において、ナースコール子機１は、病室内の各患者の近辺（例えば、ベッド近傍など）にそれぞれ設置されており、医療従事者を呼び出すためのものである。操作ユニット２は、患者が呼び出し操作を行うときに使用するものであり、主に患者が使用するベッド上に置かれている。また、操作ユニット２は、図２に示すように、呼出操作部を設けている。ここで、呼出操作部としては周知の押しボタンを使用するため、呼出操作部の具体的な構成及び動作の説明は省略する。また、本実施形態の操作ユニット２は、周知の技術を使用して医療従事者に対して呼び出しを行っているため、呼び出しに関する操作ユニット２の具体的な構成および処理の説明は省略する。
【００１７】
コード３は、壁面の内部に配設されるケーブルを介してナースコール親機１０と操作ユニット２とを接続するために、操作ユニット２とベッドサイドの壁面に設けたウォールユニットとを接続するためのものである。ここで、コード３は、その一端にコード収納部８を取り付けている。また、コード３は、コード収納部８を介してＩ／Ｆ部６に接続されている。また、コード３は、その他端にプラグ４を取り付けている。ここで、プラグ４は、ウォールユニットのコンセント（図示せず）に接続される。また、コード３は、後述するモーター６を駆動させるための駆動信号を、コンセントおよびプラグ４を介してナースコール親機１０から操作ユニット２へ伝達する。
【００１８】
ナースコール親機１０は、医療従事者の居る部屋（例えば、スタッフルームなど）に設置されており、患者からの呼び出しを医療従事者に報知したり、医療従事者が患者からの呼び出しに対して応答したりするためのものである。また、操作ユニット２にて呼び出し操作が行われると、ナースコール親機１０は、親機用報知部（図示せず）にて患者からの呼び出しを医療従事者に報知する。ここで、ナースコール親機１０と操作ユニット２との間には、制御機および複数の廊下灯（ともに図示せず）が設置されている。制御機は、操作ユニット２とナースコール親機１０との間の通話やデータの送受信に関する制御を行う。また、廊下灯は、自装置に設けた表示灯を点灯または点滅させ、操作ユニット２による呼び出しを報知する。ここで、本実施形態のナースコール親機１０は、周知の技術を使用して患者からの呼び出しを報知しているため、患者からの呼び出しに関するナースコール親機１０の具体的な構成および処理の説明は省略する。
【００１９】
制御部５は、操作ユニット２の各構成要素を後述するように制御する。Ｉ／Ｆ部６は、ナースコール親機１０に操作ユニット２を接続しておりナースコール親機１０から出力された駆動信号を入力する。
【００２０】
モーター７は、操作ユニット２の筐体内に内蔵されており、小型のモーターなどにより構成されている。ここで、Ｉ／Ｆ部６が駆動信号を入力すると、制御部５はモーター７を駆動させ、モーター７はコード収納部８に動力を加える。コード収納部８は、操作ユニット２の筐体内に内蔵されており、コードリールなどにより構成されている。また、コード収納部８は、モーター７により動力が加わると、コードリールを回転させてコード３を巻き取る。ここで、コード収納部８がコード３を巻き取ると、コード３はその他端方向から操作ユニット２の筐体内に収納される。すると、プラグ４がコンセントに接続されているので、操作ユニット２は、コンセントの方向へ移動することになる。また、コード収納部８は、電源コードなどを巻き取る際に使用される周知の技術を使用してコード３を巻き取っている。そのため、コード収納部８がコード３の巻き取っているいないに係わらず、コード３は、コード収納部８を介してＩ／Ｆ部６に電気的に接続されている。また、コード３が操作ユニット２の筐体内に収納されている状態で、医療従事者などが操作ユニット２を引っ張ると、操作ユニット２の筐体内に収納されたコード３は、操作ユニット２の筐体内から引き出される。
【００２１】
停止操作部９は、押しボタンなどにより構成されており、モーター７の駆動を停止させるためのものである。また、停止操作部９は、操作ユニット２の筐体のコード３を収納する面と略同一面上に設けられている。また、コード収納部８がコード３を巻き取り、操作ユニット２がコンセントの方向へ移動して、操作スイッチ２が患者などの障害物にぶつかると、コード収納部８がコード３を巻き取る力により停止操作部９が操作される。
【００２２】
親機用制御部１１は、ナースコール親機１０の各構成要素を後述するように制御する。親機用Ｉ／Ｆ部１２は、操作ユニット２にナースコール親機１０を接続しており親機用制御部１１が生成した駆動信号を操作ユニット２へ出力する。時刻設定部１３は、操作ユニット２が操作される可能性が低くなる時刻を設定して記憶するためのものである。ここで、操作ユニット２が操作される可能性が低くなる時刻は、一般的に消灯時間などが該当する。また、時刻設定部１３により設定された時刻は、ナースコール親機１０に接続されている全ての操作ユニット２に対して共通の時刻情報として記憶される。
【００２３】
親機用制御部１１は、現在時刻を計測する時計部（図示せず）から、現在時刻を示す現在時刻情報を所定のタイミングで繰り返し取得する。現在時刻情報を取得すると、親機用制御部１１は、時刻設定部１３から時刻情報を取得し、取得した現在時刻情報と取得した時刻情報とを前述したタイミングで常に比較する。その比較の結果、親機用制御部１１は、両者が一致したか否かを判定する。ここで、現在時刻情報を取得する処理および前述の判定処理は、両者が一致するまで繰り返し実行される。親機用制御部１１は、取得した現在時刻情報と取得した時刻情報とが一致したと判断した場合に、駆動信号を生成する。そして、親機用Ｉ／Ｆ部１２は、親機用制御部１１にて生成した駆動信号を操作ユニット２へ出力する。
【００２４】
制御部５は、Ｉ／Ｆ部６がナースコール親機１０から出力された駆動信号を入力したか否かを判定する。駆動信号を入力したと制御部５にて判断した場合に、制御部５はモーター７を駆動させる。また、モーター７は、コード収納部８に対して動力を加える。そして、コード収納部８はコードリールを回転させて、コード３を巻き取る。
【００２５】
モーター７が駆動すると、制御部５は、停止操作部９が操作された否かを判定する。停止操作部９が操作されたと制御部５にて判断した場合に、制御部５は、モーター７の駆動を停止する。そして、モーター７は、コード収納部８に対して動力を加えなくなり、コード収納部８はコードリールの回転を停止する。また、操作ユニット２が操作される可能性が高くなる時刻（例えば、起床時刻など）になると、医療従事者は、各ナースコール子機１の操作ユニット２を引っ張り、操作ユニット２の筐体内に収納されたコード３を引き出す。そして、患者の手元付近などに操作ユニット２を置くようにしている。
【００２６】
ここで、本実施形態によるナースコールシステムにおいて、図３および図４に示す本実施形態によるナースコール子機１の状態例に基づいてコード３を巻き取る際の処理を説明する。また、この例では、医療従事者が時刻設定部１３にて設定しておいた時刻情報が２１：００であるとしている。
【００２７】
図３（ａ）は、コード３の巻き取りを行う前の状態を示すものである。日中などの時間帯には、操作ユニット２は、患者が操作し易いように、医療従事者によって患者の手元付近に置かれている。それに伴い、コード３は、患者の手元付近に操作ユニット２を置くことができるような長さだけコード収納部８から引き出されている。また、同図に示すように、患者の腕がコード３の上に乗った状態となっている。
【００２８】
この状態で、操作ユニット２において、制御部５は、Ｉ／Ｆ部６がナースコール親機１０から出力された駆動信号を入力したか否かを制御部５にて判定する。また、この例では、患者が寝ている可能性の高い時間帯であり、操作ユニット２が操作される可能性が低くなる時刻を２１：００としている。ナースコール親機１０において、親機用制御部１１は、現在時刻を示す現在時刻情報を時計部から取得するとともに、時刻設定部１３にて設定しておいた時刻情報（２１：００）を取得する。また、親機用制御部１１は、取得した現在時刻情報と取得した時刻情報とが一致したか否かを判定する。判定の結果、取得した現在時刻情報（２１：００）が取得した時刻情報（２１：００）と一致した場合に、親機用制御部１１は駆動信号を生成し、親機用Ｉ／Ｆ部１２は、親機用制御部１１にて生成した駆動信号を操作ユニット２へ出力する。
【００２９】
操作ユニット２において、駆動信号を入力したと制御部５にて判断した場合に、制御部５はモーター７を駆動させる。また、モーター７は、コード収納部８に対して動力を加える。コード収納部８はコードリールを回転させて、コード３を巻き取る。コード３の巻き取りが始まると、コード収納部８に働くコード３を巻き取る力により、操作ユニット２はコンセントの方向へ移動する。また、制御部５は、停止操作部９が操作されたか否かを判定する。
【００３０】
図３（ａ）に示すように、コード３の上に患者の腕が乗っている場合、図３（ｂ）に示すように、移動した操作ユニット２の停止操作部９は、障害物である患者の腕にぶつかる。停止操作部９が患者の腕にぶつかると、コード３を巻き取る力により、停止操作部９が操作される。これに伴い、制御部５は、モーター７の駆動を停止する。そして、モーター７は、コード収納部８に対して動力を加えなくなり、コード収納部８はコードリールの回転を停止する。これにより、操作ユニット２は、コンセントの方向へ移動しなくなる。
【００３１】
一方、図４（ａ）は、コード３の巻き取りを行う前の状態を示すものであり、患者の腕などの障害物がコード３の上に乗っていない状態となっている。このように、患者の腕などの障害物がコード３の上に乗っていない場合、図４（ｂ）に示すように、操作ユニット２は、障害物にぶつかることなくコード３を巻き取り、コンセントの方向へ移動する。この場合、操作ユニット２がウォールユニットのコンセントの近傍まで移動すると、操作ユニット２の停止操作部９がプラグ４にぶつかる。停止操作部９がプラグ４にぶつかると、コード３を巻き取る力により、停止操作部９が操作される。これに伴い、制御部５は、モーター７の駆動を停止する。そして、モーター７は、コード収納部８に対して動力を加えなくなり、コード収納部８は、コードリールの回転を停止する。これにより、操作ユニット２は、コンセントの方向へ移動しなくなる。
【００３２】
以上、詳しく説明したように、本発明のナースコールシステムでは、ナースコール子機１の操作ユニット２の筐体内にコード３を巻き取るためのモーター７と、コード３を収納するためのコード収納部８とを設け、操作ユニット２の筐体のコード３を収納する面と略同一面上にモーター７の駆動を停止するための停止操作部９を備えるようにしている。また、操作ユニット２が操作される可能性が低くなる時刻を示す時刻情報をナースコール親機１０の時刻設定部１３にて設定しておき、現在時刻を示す現在時刻情報と時刻設定部１３にて設定した時刻情報とが一致した場合に、モーター７がコード収納部８に対して動力を加え、コード収納部８がコード３を巻き取るようにしている。そして、モーター７が駆動している際に、停止操作部９が操作された場合に、モーター７の駆動を停止し、コード収納部８がコード３の巻き取りを停止するようにしている。
【００３３】
これにより、患者が寝ている可能性が高い夜間などの時間帯に、ナースコール子機１の操作ユニット２およびウォールユニットの間のコード３を巻き取る際に、操作ユニット２側でコード３を巻き取っているので、コード３上に患者などが乗った場合でも、操作ユニット２の筐体が患者などにぶつかるまでコード３を巻き取ることができる。従って、ナースコール子機１の操作ユニット２およびウォールユニットの間のコード３がベッド上にできるだけ存在しないようにコード３を巻き取ることができる。また、コード３上に患者が乗った場合には、コード３を巻き取ることによって移動した操作ユニット２の筐体が患者などにぶつかり、ぶつかった面に設けられた停止操作部９が操作され、モーター７が停止するので、コード３を巻き取るために使用されるモーター７が空回りしないようにすることができる。また、コード３が巻き取られて、操作ユニット２の筐体がウォールユニットのコンセントの近傍まで移動した場合には、コンセントに接続されているプラグ４によって停止操作部が操作され、モーター７が停止するので、コード３を巻き取るために使用されるモーター７が空回りしないようにすることができる。
【００３４】
なお、前述した実施形態では、停止操作部９は、操作ユニット２の筐体のコード３を収納する面と略同一面上に設けられているが、これに限定されない。例えば、操作ユニット２の筐体のコード３が二つの面の間の部分に収納されていて、コード３を収納する面が存在しない場合に、操作ユニット２の筐体のコード３を収納する部分に隣接する何れかの面に停止操作部９を設けるようにしても良い。
【００３５】
また、前述した実施形態では、時刻設定部１３は、一つの時刻情報を設定することで、全ての操作ユニット２に対して共通の時刻情報としているが、これに限定されない。例えば、時刻設定部１３が操作ユニット２毎の時刻情報を設定するようにしても良い。
【００３６】
また、前述した実施形態では、停止操作部９は、操作ユニット２がウォールユニットのコンセントの近傍まで移動すると、操作ユニット２がプラグ４にぶつかってコード３を巻き取る力により操作されているが、これに限定されない。例えば、操作ユニット２がウォールユニットのコンセントの近傍まで移動すると、操作ユニット２がウォールユニットにぶつかって、停止操作部９がコード３を巻き取る力により操作されるようにしても良い。
【００３７】
その他、ナースコールシステムの構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【符号の説明】
【００３８】
１    ナースコール子機
２    操作ユニット
３    コード
４    プラグ
５    制御部
６    インターフェース（Ｉ／Ｆ）部
７    モーター
８    コード収納部
９    停止操作部
１０    ナースコール親機
１１    親機用制御部
１２    親機用インターフェース（Ｉ／Ｆ）部
１３    時刻設定部
【図１】
2011110347.tif 000003
【図２】
2011110347.tif 000004
【図３】
2011110347.tif 000005
【図４】
2011110347.tif 000006